(57)【特許請求の範囲】
【請求項１】
スプレー缶を安定して逆立ちに保持することができる上ぶたを形成し、その上ぶたを残液の受け皿とし、ふた側面の一部にガス抜け部を設け、ふた底の中央部に水平な平面部を設け、そこで活用するためにスプレー缶の噴射ボタンをちょうど押し込めるだけの高さをもった台状の障害物を形成し、通常は邪魔にならないように他所に備え、ガス抜き時にこれを移転載置し、次に、スプレー缶を逆立ちに差し込んで用いることを特徴とする、スプレー缶ガス抜き機構付ふた。
【請求項２】
スプレー缶を安定して逆立ちに保持することができる上ぶたを形成し、その上ぶたを残液の受け皿とし、ふた側面の一部にガス抜け部を設け、ふた底の中心部に柱状の突起部を設け、そこで活用するためにスプレー缶の噴射ボタンをちょうど押し込めるだけの高さをもった穴付の障害物を形成し、通常は邪魔にならないように他所に備え、ガス抜き時にこれを移転装着し、次に、スプレー缶を逆立ちに差し込んで用いることを特徴とする、スプレー缶ガス抜き機構付ふた。
【請求項３】
スプレー缶を安定して逆立ちに保持することができる上ぶたを形成し、その上ぶたを残液の受け皿とし、ふた側面の一部にガス抜け部を設け、ふた底に中心部を通り周辺部に至るレール状の突起部を設け、そこで活用するためにスプレー缶の噴射ボタンをちょうど押し込めるだけの高さをもったメサ溝付の障害物を形成し、通常は邪魔にならないように周辺部に寄せた状態で取り付けておき、ガス抜き時にこれを中心部へと移動装着し、次に、スプレー缶を逆立ちに差し込んで用いることを特徴とする、スプレー缶ガス抜き機構付ふた。
【請求項４】
スプレー缶を安定して逆立ちに保持することができる上ぶたを形成し、その上ぶたを残液の受け皿とし、ふた側面の一部にガス抜け部を設け、ふた底の中心と周辺の中間部に軸状の突起部を設け、そこで活用するためにスプレー缶の噴射ボタンをちょうど押し込めるだけの高さをもった軸穴付の障害物を形成し、通常は邪魔にならないように周辺部に寄せた状態で取り付けておき、ガス抜き時にこれを中心部へと回転装着し、次に、スプレー缶を逆立ちに差し込んで用いることを特徴とする、スプレー缶ガス抜き機構付ふた。
【請求項５】
スプレー缶を安定して逆立ちに保持することができる上ぶたを形成し、その上ぶたを残液の受け皿とし、ふた側面の一部にガス抜け部を設け、ふた底の中央部に囲い状の突起部を設け、そこで活用するためにスプレー缶の噴射ボタンをちょうど押し込めるだけの高さを得ることができるキャップ状の障害物を形成し、通常は邪魔にならないように開口部が見える向きで取り付けておき、ガス抜き時にこれを取り外して反転装着し、次に、スプレー缶を逆立ちに差し込んで用いることを特徴とする、スプレー缶ガス抜き機構付ふた。
【請求項６】
スプレー缶を安定して逆立ちに保持することができる上ぶたを形成し、その上ぶたを残液の受け皿とし、ふた側面の一部にガス抜け部を設け、ふた底の中央部に側面の凸凹で止める突起部を設け、そこで活用するためにスプレー缶の噴射ボタンをちょうど押し込めるだけの高さを得ることができる側面の凸凹で止まる障害物を形成し、通常は邪魔にならないように低い位置に止め付けておき、ガス抜き時にこれを外して高い位置にかさ上げ装着し、次に、スプレー缶を逆立ちに差し込んで用いることを特徴とする、スプレー缶ガス抜き機構付ふた。
【請求項７】
スプレー缶を安定して逆立ちに保持することができる上ぶたを形成し、その上ぶたを残液の受け皿とし、ふた側面の一部にガス抜け部を設け、ふた底の中央部に接触すればスプレー缶の噴射ボタンをちょうど押し込めるほどの高さをもった筒状の突起部を設け、そこで活用するために薄板状の障害物を形成し、通常は邪魔にならないように他所に備え、ガス抜き時にこれを移転載置し、次に、スプレー缶を逆立ちに差し込んで用いることを特徴とする、スプレー缶ガス抜き機構付ふた。
【請求項８】
スプレー缶を安定して逆立ちに保持することができる上ぶたを形成し、その上ぶたを残液の受け皿とし、ふた側面の一部にガス抜け部を設け、ふた底の中心部に筒状の穴部を設け、そこで活用するためにスプレー缶の噴射ボタンをちょうど押し込めるだけの長さをもった棒状の障害物を形成し、通常は邪魔にならないように他所に備え、ガス抜き時にこれをスプレー缶に上ぶたをかぶせた状態でその長さの一部を外側より移転挿入し、次に、スプレー缶ごと逆立ちに立ててすべての長さを挿入して用いることを特徴とする、スプレー缶ガス抜き機構付ふた。
【請求項９】
通常のスプレー缶のふたとしての使用状態でできるだけ気密性をもたせるために、ガス抜きの前に取り除く条件のもとに構造の上で通気孔となるガス抜け部や筒状の穴部に通気性のない閉鎖物を設け、ガス抜きの後で残液をこぼすことなく廃棄処分まで行うために、上ぶたの内面に液体吸収体を設けることを特徴とする、請求項１、２、３、４、５、６、７又は８記載のスプレー缶ガス抜き機構付ふた。
【発明の詳細な説明】
【０００１】
【発明の属する技術分野】
本発明は、使わなくなった各種のスプレー缶の缶内部に残存する高圧ガスのガス抜きを行う方法であり、手間をかけずにきわめて清潔に処理するための、スプレー缶ガス抜き機構付ふたに関するものである。
【０００２】
【従来の技術】
従来、使わなくなったスプレー缶のガス抜きには下記のような方法があった。
（イ）噴射ボタンをガス抜け音がしなくなるまで指で押し続ける。
（ロ）穴開け器具を用いて缶本体に穴を開ける。
【０００３】
【発明が解決しようとする課題】
しかし、これには問題点があった。
（イ）噴射ボタンを指で押す方法は、時間がかかるので手が疲れてしまうし、残液の吹き出しによる汚れの心配もある。
（ロ）缶本体に穴を開ける方法は、器具を用意したり管理するのがめんどうだし、これも残液の吹き出しによる汚れを覚悟する必要がある。
本発明は、このような問題点を除くためになされたものである。
【０００４】
【課題を解決するための手段】
本発明のうち請求項１記載の発明は、スプレー缶を安定して逆立ちに保持することができる上ぶたを形成し、その上ぶたを残液の受け皿とし、ふた側面の一部にガス抜け部を設け、ふた底の中央部に水平な平面部を設け、そこで活用するためにスプレー缶の噴射ボタンをちょうど押し込めるだけの高さをもった台状の障害物を形成し、通常は邪魔にならないように他所に備え、ガス抜き時にこれを移転載置し、次に、スプレー缶を逆立ちに差し込んで用いる。
【０００５】
本発明のうち請求項２記載の発明は、スプレー缶を安定して逆立ちに保持することができる上ぶたを形成し、その上ぶたを残液の受け皿とし、ふた側面の一部にガス抜け部を設け、ふた底の中心部に柱状の突起部を設け、そこで活用するためにスプレー缶の噴射ボタンをちょうど押し込めるだけの高さをもった穴付の障害物を形成し、通常は邪魔にならないように他所に備え、ガス抜き時にこれを移転装着し、次に、スプレー缶を逆立ちに差し込んで用いる。
【０００６】
本発明のうち請求項３記載の発明は、スプレー缶を安定して逆立ちに保持することができる上ぶたを形成し、その上ぶたを残液の受け皿とし、ふた側面の一部にガス抜け部を設け、ふた底に中心部を通り周辺部に至るレール状の突起部を設け、そこで活用するためにスプレー缶の噴射ボタンをちょうど押し込めるだけの高さをもったメサ溝付の障害物を形成し、通常は邪魔にならないように周辺部に寄せた状態で取り付けておき、ガス抜き時にこれを中心部へと移動装着し、次に、スプレー缶を逆立ちに差し込んで用いる。
【０００７】
本発明のうち請求項４記載の発明は、スプレー缶を安定して逆立ちに保持することができる上ぶたを形成し、その上ぶたを残液の受け皿とし、ふた側面の一部にガス抜け部を設け、ふた底の中心と周辺の中間部に軸状の突起部を設け、そこで活用するためにスプレー缶の噴射ボタンをちょうど押し込めるだけの高さをもった軸穴付の障害物を形成し、通常は邪魔にならないように周辺部に寄せた状態で取り付けておき、ガス抜き時にこれを中心部へと回転装着し、次に、スプレー缶を逆立ちに差し込んで用いる。
【０００８】
本発明のうち請求項５記載の発明は、スプレー缶を安定して逆立ちに保持することができる上ぶたを形成し、その上ぶたを残液の受け皿とし、ふた側面の一部にガス抜け部を設け、ふた底の中央部に囲い状の突起部を設け、そこで活用するためにスプレー缶の噴射ボタンをちょうど押し込めるだけの高さを得ることができるキャップ状の障害物を形成し、通常は邪魔にならないように開口部が見える向きで取り付けておき、ガス抜き時にこれを取り外して反転装着し、次に、スプレー缶を逆立ちに差し込んで用いる。
【０００９】
本発明のうち請求項６記載の発明は、スプレー缶を安定して逆立ちに保持することができる上ぶたを形成し、その上ぶたを残液の受け皿とし、ふた側面の一部にガス抜け部を設け、ふた底の中央部に側面の凸凹で止める突起部を設け、そこで活用するためにスプレー缶の噴射ボタンをちょうど押し込めるだけの高さを得ることができる側面の凸凹で止まる障害物を形成し、通常は邪魔にならないように低い位置に止め付けておき、ガス抜き時にこれを外して高い位置にかさ上げ装着し、次に、スプレー缶を逆立ちに差し込んで用いる。
【００１０】
本発明のうち請求項７記載の発明は、スプレー缶を安定して逆立ちに保持することができる上ぶたを形成し、その上ぶたを残液の受け皿とし、ふた側面の一部にガス抜け部を設け、ふた底の中央部に接触すればスプレー缶の噴射ボタンをちょうど押し込めるほどの高さをもった筒状の突起部を設け、そこで活用するために薄板状の障害物を形成し、通常は邪魔にならないように他所に備え、ガス抜き時にこれを移転載置し、次に、スプレー缶を逆立ちに差し込んで用いる。
【００１１】
本発明のうち請求項８記載の発明は、スプレー缶を安定して逆立ちに保持することができる上ぶたを形成し、その上ぶたを残液の受け皿とし、ふた側面の一部にガス抜け部を設け、ふた底の中心部に筒状の穴部を設け、そこで活用するためにスプレー缶の噴射ボタンをちょうど押し込めるだけの長さをもった棒状の障害物を形成し、通常は邪魔にならないように他所に備え、ガス抜き時にこれをスプレー缶に上ぶたをかぶせた状態でその長さの一部を外側より移転挿入し、次に、スプレー缶ごと逆立ちに立ててすべての長さを挿入して用いる。
【００１２】
本発明のうち請求項９記載の発明は、請求項１、２、３、４、５、６、７又は８記載の発明の構造物に加えて、通常のスプレー缶のふたとしての使用状態でできるだけ気密性をもたせるために、ガス抜きの前に取り除く条件のもとに構造の上で通気孔となるガス抜け部や筒状の穴部に通気性のない閉鎖物を設け、ガス抜きの後で残液をこぼすことなく廃棄処分まで行うために、上ぶたの内面に液体吸収体を設けるものとし、各請求項において述べた方法で用いる。
【００１３】
なお、上記したいずれの発明も、同じタイプのスプレー缶にならばガス抜き専用としてくり返し使用することが可能であるが、本発明が解決しようとする課題からいえば従来のふたと同じようにスプレー缶に１個ずつ必要品として付けて通常はただのふたとして用い、スプレー缶の内容物がなくなったり不用となったときに本来の目的であるガス抜きに用いて使用後は使い捨てとするのがよい。
【００１４】
【発明の実施の形態】
本発明のうち、請求項１の発明の実施の形態を図面に基づいて述べる。
まず、図１及び図２に示すこの発明の基本例の構造について説明する。
（イ）スプレー缶を安定して逆立ちに保持することができるようにふた底が大きく、その円周がふた開口部の円周と平行をなす上ぶた１を形成する。
（ロ）このとき、ふた側面の開口部近くの一部にすき間や切欠き又は貫通穴などのガス抜け部２を設ける。
（ハ）加えて、ふた底の内面の中央部に水平な平面部３を設ける。
（ニ）上記した水平な平面部３に載置して活用するために、スプレー缶の噴射ボタンをちょうど押し込めるだけの高さをもった円柱形などの台状の障害物４を形成する。
（ホ）そして、通常は邪魔にならないように他所に備えておく。
次に、ガス抜き時の使用方法とそれに伴う現象について説明する。
（イ）スプレー缶から上ぶた１を取り外し、残液の受け皿とするために内部を上向きにして作業場所の平らな所に置く。
（ロ）そして、ふた底の中央部の水平な平面部３に台状の障害物４を他所より移転して載置する。
（ハ）次に、スプレー缶を噴射ボタンの出口がふた側面にあるガス抜け部２に対してできるだけ正反対を向くようにして逆立ちに持ち、上ぶた１にきっちりと差し込む。
（ニ）以上の処置で、スプレー缶の噴射ボタンが台状の障害物４に当たって押し込まれ、ガス抜きが始まる。
（ホ）缶内部より出た高圧ガスは、上ぶた１の中に充満しながらふた側面に設けたガス抜け部２を通って外気中に放出される。
（ヘ）缶内部より出た残液は、上ぶた１のふた側面に当たって流れ落ち、ふた底にたまるので心配ない。
（ト）この状態で、ガス抜け音がしなくなるまで放置しておけば、スプレー缶のガス抜きは完了する。
（チ）後は、廃棄処分をすればよい。
【００１５】
図３及び図４に示したものは、この発明の応用例の１つである。
先の基本例に示したものとの違いは、スプレー缶への固着方式が異なる上ぶた１を用いている点であり、この応用例には図示した通りの中止め式の突起部５が存在する。
そこで、この中止め式の突起部５の内側のふた底部分に水平な平面部３を設け、そこに入れて載置できる大きさの台状の障害物４を用いたものである。
これにより、ガス抜き時に中止め式の突起部５が台状の障害物４の大幅な位置ずれを防ぐことになる。
その他の構造及び使用方法とそれに伴う現象は、基本例に準ずる。
【００１６】
本発明のうち、請求項２の発明の実施の形態を図面に基づいて述べる。
まず、図５及び図６に示すこの発明の基本例の構造について説明する。
（イ）スプレー缶を安定して逆立ちに保持することができるようにふた底が大きく、その円周がふた開口部の円周と平行をなす上ぶた１を形成する。
（ロ）このとき、ふた側面の開口部近くの一部にすき間や切欠き又は貫通穴などのガス抜け部２を設ける。
（ハ）加えて、ふた底の内面の中心部に柱状の突起部６を設ける。
（ニ）上記した柱状の突起部６に装着して活用するために、スプレー缶の噴射ボタンをちょうど押し込めるだけの高さをもった円柱形などの穴付の障害物７を形成する。
（ホ）そして、通常は邪魔にならないように他所に備えておく。
次に、ガス抜き時の使用方法とそれに伴う現象について説明する。
（イ）スプレー缶から上ぶた１を取り外し、残液の受け皿とするために内部を上向きにして作業場所の平らな所に置く。
（ロ）そして、ふた底の中心部の柱状の突起部６に穴付の障害物７を他所より移転して装着する。
（ハ）次に、スプレー缶を噴射ボタンの出口がふた側面にあるガス抜け部２に対してできるだけ正反対を向くようにして逆立ちに持ち、上ぶた１にきっちりと差し込む。
（ニ）以上の処置で、スプレー缶の噴射ボタンが穴付の障害物７に当たって押し込まれ、ガス抜きが始まる。
（ホ）缶内部より出た高圧ガスは、上ぶた１の中に充満しながらふた側面に設けたガス抜け部２を通って外気中に放出される。
（ヘ）缶内部より出た残液は、上ぶた１のふた側面に当たって流れ落ち、ふた底にたまるので心配ない。
（ト）この状態で、ガス抜け音がしなくなるまで放置しておけば、スプレー缶のガス抜きは完了する。
（チ）後は、廃棄処分をすればよい。
【００１７】
図７及び図８に示したものは、この発明の応用例の１つである。
先の基本例に示したものとの違いは、ふた底の周辺部に中心部にある柱状の突起部６と同じものを追加して設けたことである。
これにより、通常時に穴付の障害物７をここに備えておける利点がある。
その他の構造及び使用方法とそれに伴う現象は、基本例に準ずる。
【００１８】
本発明のうち、請求項３の発明の実施の形態を図面に基づいて述べる。
まず、図９及び図１０に示すこの発明の基本例の構造について説明する。
（イ）スプレー缶を安定して逆立ちに保持することができるようにふた底が大きく、その円周がふた開口部の円周と平行をなす上ぶた１を形成する。
（ロ）このとき、ふた側面の開口部近くの一部にすき間や切欠き又は貫通穴などのガス抜け部２を設ける。
（ハ）加えて、ふた底の内面に中心部を通り周辺部に至るメサ形のレール状の突起部８を設ける。
（ニ）上記したレール状の突起部８に装着して活用するために、スプレー缶の噴射ボタンをちょうど押し込めるだけの高さをもった円柱形などのメサ溝付の障害物９を形成する。
（ホ）そして、通常は邪魔にならないように周辺部に寄せた状態で取り付けておく。
次に、ガス抜き時の使用方法とそれに伴う現象について説明する。
（イ）スプレー缶から上ぶた１を取り外し、残液の受け皿とするために内部を上向きにして作業場所の平らな所に置く。
（ロ）そして、ふた底の周辺部に寄せておいたメサ溝付の障害物９をレール状の突起部８を利用して中心部に移動して装着する。
（ハ）次に、スプレー缶を噴射ボタンの出口がふた側面にあるガス抜け部２に対してできるだけ正反対を向くようにして逆立ちに持ち、上ぶた１にきっちりと差し込む。
（ニ）以上の処置で、スプレー缶の噴射ボタンがメサ溝付の障害物９に当たって押し込まれ、ガス抜きが始まる。
（ホ）缶内部より出た高圧ガスは、上ぶた１の中に充満しながらふた側面に設けたガス抜け部２を通って外気中に放出される。
（ヘ）缶内部より出た残液は、上ぶた１のふた側面に当たって流れ落ち、ふた底にたまるので心配ない。
（ト）この状態で、ガス抜け音がしなくなるまで放置しておけば、スプレー缶のガス抜きは完了する。
（チ）後は、廃棄処分をすればよい。
【００１９】
図１１及び図１２に示したものは、この発明の応用例の１つである。
先の基本例に示したものとの違いは、ふた底やふた側面にメサ溝付の障害物９を定位置に止め付けるためのストッパーとなる凸部１０を追加して設けたことである。
これにより、通常時及びガス抜き時ともにメサ溝付の障害物９の位置ずれを気にする必要がなくなる。
その他の構造及び使用方法とそれに伴う現象は、基本例に準ずる。
【００２０】
本発明のうち、請求項４の発明の実施の形態を図面に基づいて述べる。
まず、図１３及び図１４に示すこの発明の基本例の構造について説明する。
（イ）スプレー缶を安定して逆立ちに保持することができるようにふた底が大きく、その円周がふた開口部の円周と平行をなす上ぶた１を形成する。
（ロ）このとき、ふた側面の開口部近くの一部にすき間や切欠き又は貫通穴などのガス抜け部２を設ける。
（ハ）加えて、ふた底の内面の中心と周辺の中間部に軸状の突起部１１を設ける。
（ニ）上記した軸状の突起部１１に装着して活用するために、スプレー缶の噴射ボタンをちょうど押し込めるだけの高さをもった段付の円柱形などの軸穴付の障害物１２を形成する。
（ホ）そして、通常は邪魔にならないように周辺部に寄せた状態で取り付けておく。
次に、ガス抜き時の使用方法とそれに伴う現象について説明する。
（イ）スプレー缶から上ぶた１を取り外し、残液の受け皿とするために内部を上向きにして作業場所の平らな所に置く。
（ロ）そして、ふた底の周辺部に寄せておいた軸穴付の障害物１２を軸状の突起部１１を利用して中心部に回転して装着する。
（ハ）次に、スプレー缶を噴射ボタンの出口がふた側面にあるガス抜け部２に対してできるだけ正反対を向くようにして逆立ちに持ち、上ぶた１にきっちりと差し込む。
（ニ）以上の処置で、スプレー缶の噴射ボタンが軸穴付の障害物１２に当たって押し込まれ、ガス抜きが始まる。
（ホ）缶内部より出た高圧ガスは、上ぶた１の中に充満しながらふた側面に設けたガス抜け部２を通って外気中に放出される。
（ヘ）缶内部より出た残液は、上ぶた１のふた側面に当たって流れ落ち、ふた底にたまるので心配ない。
（ト）この状態で、ガス抜け音がしなくなるまで放置しておけば、スプレー缶のガス抜きは完了する。
（チ）後は、廃棄処分をすればよい。
【００２１】
図１５及び図１６に示したものは、この発明の応用例の１つである。
先の基本例に示したものとの違いは、ふた底やふた側面に軸穴付の障害物１２を定位置に止め付けるためのストッパーとなる凸部１０を追加して設けたことである。
これにより、通常時及びガス抜き時ともに軸穴付の障害物１２の位置ずれを気にする必要がなくなる。
その他の構造及び使用方法とそれに伴う現象は、基本例に準ずる。
【００２２】
本発明のうち、請求項５の発明の実施の形態を図面に基づいて述べる。
まず、図１７及び図１８に示すこの発明の基本例の構造について説明する。
（イ）スプレー缶を安定して逆立ちに保持することができるようにふた底が大きく、その円周がふた開口部の円周と平行をなす上ぶた１を形成する。
（ロ）このとき、ふた側面の開口部近くの一部にすき間や切欠き又は貫通穴などのガス抜け部２を設ける。
（ハ）加えて、ふた底の内面の中央部に囲い状の突起部１３を設ける。
（ニ）上記した囲い状の突起部１３に装着して活用するために、スプレー缶の噴射ボタンをちょうど押し込めるだけの高さを得ることができる底付の円筒形などのキャップ状の障害物１４を形成する。
（ホ）そして、通常は邪魔にならないように開口部が見える向きで取り付けておく。
次に、ガス抜き時の使用方法とそれに伴う現象について説明する。
（イ）スプレー缶から上ぶた１を取り外し、残液の受け皿とするために内部を上向きにして作業場所の平らな所に置く。
（ロ）そして、そた底の中央部の囲い状の突起部１３に開口部が見える向きで取り付けておいたキャップ状の障害物１４を、一度取り外して反転して装着する。
（ハ）次に、スプレー缶を噴射ボタンの出口がふた側面にあるガス抜け部２に対してできるだけ正反対を向くようにして逆立ちに持ち、上ぶた１にきっちりと差し込む。
（ニ）以上の処置で、スプレー缶の噴射ボタンがキャップ状の障害物１４に当たって押し込まれ、ガス抜きが始まる。
（ホ）缶内部より出た高圧ガスは、上ぶた１の中に充満しながらふた側面に設けたガス抜け部２を通って外気中に放出される。
（ヘ）缶内部より出た残液は、上ぶた１のふた側面に当たって流れ落ち、ふた底にたまるので心配ない。
（ト）この状態で、ガス抜け音がしなくなるまで放置しておけば、スプレー缶のガス抜きは完了する。
（チ）後は、廃棄処分をすればよい。
【００２３】
図１９及び図２０に示したものは、この発明の応用例の１つである。
先の基本例に示したものとの違いは、囲い状の突起部１３の内側となるふた底を開口したことと、そこに装着するキャップ状の障害物１４を段付の形状にしたことである。
これにより、ガス抜きのために反転装着するときにキャップ状の障害物１４が取り外しやすくなる。
その他の構造及び使用方法とそれに伴う現象は、基本例に準ずる。
【００２４】
本発明のうち、請求項６の発明の実施の形態を図面に基づいて述べる。
まず、図２１及び図２２に示すこの発明の基本例の構造について説明する。
（イ）スプレー缶を安定して逆立ちに保持することができるようにふた底が大きく、その円周がふた開口部の円周と平行をなす上ぶた１を形成する。
（ロ）このとき、ふた側面の開口部近くの一部にすき間や切欠き又は貫通穴などのガス抜け部２を設ける。
（ハ）加えて、ふた底の内面の中央部に側面の凸凹で止める突起部１５を設ける。
（ニ）上記した側面の凸凹で止める突起部１５に装着して活用するために、スプレー缶の噴射ボタンをちょうど押し込めるだけの高さを得ることができる円いキャップ形などの側面の凸凹で止まる障害物１６を形成する。
（ホ）そして、通常は邪魔にならないように低い位置に止め付けておく。
なお、この基本例として図示したものは、側面の凸凹で止める突起部１５が段付の案内溝つまり凹部をもち、側面の凸凹で止まる障害物１６が出べそ状の凸部をもっているが、構造的にはその逆の、側面の凸凹で止める突起部１５が出べそ状の凸部をもち、側面の凸凹で止まる障害物１６が段付の案内溝つまり凹部をもっていても何ら問題はないものである。
次に、ガス抜き時の使用方法とそれに伴う現象について説明する。
（イ）スプレー缶から上ぶた１を取り外し、残液の受け皿とするために内部を上向きにして作業場所の平らな所に置く。
（ロ）そして、ふた底の中央部の側面の凸凹で止める突起部１５に低い位置で止め付けておいた側面の凸凹で止まる障害物１６を、回して外して高い位置にかさ上げして装着する。
（ハ）次に、スプレー缶の噴射ボタンの出口がふた側面にあるガス抜け部２に対してできるだけ正反対を向くようにして逆立ちに持ち、上ぶた１にきっちりと差し込む。
（ニ）以上の処置で、スプレー缶の噴射ボタンが側面の凸凹で止まる障害物１６に当たって押し込まれ、ガス抜きが始まる。
（ホ）缶内部より出た高圧ガスは、上ぶた１の中に充満しながらふた側面に設けたガス抜け部２を通って外気中に放出される。
（ヘ）缶内部より出た残液は、上ぶた１のふた側面に当たって流れ落ち、ふた底にたまるので心配ない。
（ト）この状態で、ガス抜け音がしなくなるまで放置しておけば、スプレー缶のガス抜きは完了する。
（チ）後は、廃棄処分をすればよい。
【００２５】
図２３及び図２４に示したものは、この発明の応用例の１つである。
先の基本例に示したものとの違いは、側面の凸凹で止める突起部１５と側面の凸凹で止まる障害物１６を雌雄で一対となるねじ付にしたことである。
なお、図面では側面の凸凹で止める突起部１５が雄ねじをもち、側面の凸凹で止まる障害物１６が雌ねじをもっているが、構造的にはその逆を採用しても何ら問題はないものである。
その他の構造及び使用方法とそれに伴う現象は、基本例に準ずる。
【００２６】
本発明のうち、請求項７の発明の実施の形態を図面に基づいて述べる。
まず、図２５及び図２６に示すこの発明の基本例の構造について説明する。
（イ）スプレー缶を安定して逆立ちに保持することができるようにふた底が大きく、その円周がふた開口部の円周と平行をなす上ぶた１を形成する。
（ロ）このとき、ふた側面の開口部近くの一部にすき間や切欠き又は貫通穴などのガス抜け部２を設ける。
（ハ）加えて、ふた底の内面の中央部に接触すればスプレー缶の噴射ボタンをちょうど押し込めるほどの高さをもった筒状の突起部１７を設ける。
（ニ）上記した筒状の突起部１７に載置して活用するために、円板形などの薄板状の障害物１８を形成する。
（ホ）そして、通常は邪魔にならないように他所に備えておく。
次に、ガス抜き時の使用方法とそれに伴う現象について説明する。
（イ）スプレー缶から上ぶた１を取り外し、残液の受け皿とするために内部を上向きにして作業場所の平らな所に置く。
（ロ）そして、ふた底の中央部の筒状の突起部１７に薄板状の障害物１８を他所より移転して載置する。
（ハ）次に、スプレー缶を噴射ボタンの出口がふた側面にあるガス抜け部２に対してできるだけ正反対を向くようにして逆立ちに持ち、上ぶた１にきっちりと差し込む。
（ニ）以上の処置で、スプレー缶の噴射ボタンが薄板状の障害物１８に当たって押し込まれ、ガス抜きが始まる。
（ホ）缶内部より出た高圧ガスは、上ぶた１の中に充満しながらふた側面に設けたガス抜け部２を通って外気中に放出される。
（ヘ）缶内部より出た残液は、上ぶた１のふた側面に当たって流れ落ち、ふた底にたまるので心配ない。
（ト）この状態で、ガス抜け音がしなくなるまで放置しておけば、スプレー缶のガス抜きは完了する。
（チ）後は、廃棄処分をすればよい。
【００２７】
図２７及び図２８に示したものは、この発明の応用例の１つである。
先の基本例に示したものとの違いは、スプレー缶への固着方式が異なる上ぶた１を用いている点であり、この応用例には図示した通りの中止め式の突起部５が存在する。
そこで、この中止め式の突起部５が基本例に述べた筒状の突起部１７と同じ働きをするようにしたものである。
つまり、ふた底の中央部には接触すればスプレー缶の噴射ボタンをちょうど押し込めるほどの高さを筒状に残して、３か所の切欠き部をもった中止め式の突起部５を設ける。
なお、薄板状の障害物１８はそこに載置して活用できるように、円板の外周に３か所の突き出し部をもったものを形成する。
これにより、ガス抜きを可能にしたものである。
その他の構造及び使用方法とそれに伴う現象は、基本例に準ずる。
【００２８】
本発明のうち、請求項８の発明の実施の形態を図面に基づいて述べる。
まず、図２９及び図３０に示すこの発明の基本例の構造について説明する。
（イ）スプレー缶を安定して逆立ちに保持することができるようにふた底が大きく、その円周がふた開口部の円周と平行をなす上ぶた１を形成する。
（ロ）このとき、ふた側面の開口部近くの一部にすき間や切欠き又は貫通穴などのガス抜け部２を設ける。
（ハ）加えて、ふた底の内面の中心部に筒状の穴部１９を設ける。
（ニ）上記した筒状の穴部１９に外側から挿入して活用するために、スプレー缶の噴射ボタンをちょうど押し込めるだけの長さをもった細い円柱形などの棒状の障害物２０を形成する。
（ホ）そして、通常は邪魔にならないように他所に備えておく。
次に、ガス抜き時の使用方法とそれに伴う現象について説明する。
（イ）上ぶた１を、ふた側面にあるガス抜け部がスプレー缶の噴射ボタンの出口の向きに対してできるだけ正反対に位置するように持ち、缶本体にきっちりとかぶせる。
（ロ）そして、ふた底の中央部の筒状の穴部１９に棒状の障害物２０を他所より移転して、その長さの一部を外側より挿入する。
（ハ）次に、上ぶた１を残液の受け皿とするためにスプレー缶ごと逆立ちに持ち、作業場所の平らな所に押し付けて棒状の障害物２０のすべての長さを挿入し、ふた底が接触した状態にして置く。
（ニ）以上の処置で、スプレー缶の噴射ボタンが棒状の障害物２０に当たって押し込まれ、ガス抜きが始まる。
（ホ）缶内部より出た高圧ガスは、上ぶた１の中に充満しながらふた側面に設けたガス抜け部２を通って外気中に放出される。
（ヘ）缶内部より出た残液は、上ぶた１のふた側面に当たって流れ落ち、ふた底にたまるので心配ない。
（ト）この状態で、ガス抜け音がしなくなるまで放置しておけば、スプレー缶のガス抜きは完了する。
（チ）後は、廃棄処分をすればよい。
【００２９】
図３１及び図３２に示したものは、この発明の応用例の１つである。
先の基本例に示したものとの違いは、ふた底の中間部に棒状の障害物２０を挿入できる収納場所となる凹部２１を追加して設け、棒状の障害物２０の形状をＴ形とし、加えて上ぶた１のふた底の外面を上げ底にしたことである。
これにより、通常時に棒状の障害物２０を収納場所となる凹部２１に備えておけるし、ガス抜き時に移転挿入するときも扱いやすくなり、上ぶた１の安定性も損なわない利点がある。
その他の構造及び使用方法とそれに伴う現象は、基本例に準ずる。
【００３０】
本発明のうち、請求項９の発明の実施の形態を図面に基づいて述べる。
まず、図３３及び図３４に示すこの発明の基本例の構造について説明する。
（イ）請求項１、２、３、４、５、６、７又は８の各請求項に記載した構造物は、もちろん必要である。
（ロ）加えて、通常のスプレー缶のふたとしての使用状態でできるだけ気密性をもたせるために、ガス抜きの前に取り除く条件のもとに構造の上で通気孔となるガス抜け部２や筒状の穴部１９に通気性のない閉鎖物２２を設ける。
ここでは、通気性のない閉鎖物２２をシール貼りをしたり、上ぶた１の形成時に薄皮を残したりして作ることができる薄皮状のものにした。
（ハ）又、ガス抜きの後で残液をこぼすことなく廃棄処分まで行うために、上ぶた１のガス抜け部２とは反対方向となる内面に液体吸収体２３を貼り付けたりして設ける。
ここでは、液体吸収体２３を扇形などに作ったふた底用のものにした。
なお、上記した通気性のない閉鎖物２２と液体吸収体２３は、各請求項において２つとも採用してもよいし、どちらか１つだけで採用しても良いものとする。
次に、ガス抜き時の使用方法とそれに伴う現象について説明する。
（イ）何よりも先に、通気性のない閉鎖物２２を取り除く。
ここでは、シールをはがしたり、薄皮を棒状の障害物２０などを用いて破孔したりする。
（ロ）後は、請求項１、２、３、４、５、６、７又は８の記載通りである。
（ハ）その中で、液体吸収体２３は缶内部より出た残液を吸収する。
ここでは、ふた側面に当たって流れ落ちた残液をふた底にとどめる役目をする。
【００３１】
図３５及び図３６に示したものは、この発明の応用例の１つである。
先の基本例に示したものとの違いは、通気性のない閉鎖物２２を上ぶた１とは別に形成してふた栓や盲栓などの栓状のものにしたことと、液体吸収体２３を正方形などに作ってふた側面用のものにしたことである。
これにより、通気性のない閉鎖物２２は簡単に抜き取ることができるし、液体吸収体２３は残液をその吹き出し方向で直接吸い取ることができる。
その他の構造及び使用方法とそれに伴う現象は、基本例に準ずる。
【００３２】
【実施例】
本発明のガス抜き時の工程の中で最も大切なのは、スプレー缶の噴射ボタンが各請求項において述べた障害物に当たって問題なく押し込まれることである。
もちろん、各障害物はスプレー缶の上ぶた１と同材質などで形成し表面に何も処置を施さなくても十分な役目を果たし得るが、ここでは、噴射ボタンがほとんど滑ることなく各障害物がより確実に作用できる工夫を実施例としていくつか上げておく。
（イ）各障害物の上面にローレット加工状などの、細かな凸凹面を形成する。
（ロ）各障害物の上面にサンドペーパーなどを貼って、高摩擦材面を設ける。
（ハ）各障害物の上面に薄いゴムやコルクなどを貼って、軟質材面を設ける。
（ニ）請求項１記載の台状の障害物４に関しては、上記した上面側の処置に加えて、図３７に示すがごとくその底面に両面テープなどを付けて粘着剤面２４を設けるとよい。
これにより、台状の障害物４を上ぶた１のふた底に固着できるためこちらの方の滑り、つまり位置ずれを気にする必要もなくなる。
なお、この粘着剤面２４を各障害物の上面に施したとしても結果的に十分な効果が上げられるので、これも実施例の１つとして図面に示しておく。
（ホ）請求項８記載の棒状の障害物２０に関しては、その上面の面積が小さい場合に、これまでに述べた処置を適用しずらくなる。
そこで、図３８に示すがごとく逆により面積が小さくなるようにその先端部を円すい状などに形成し、相手側にその先端部が案内されて入る凹部付の噴射ボタン２５を形成して採用するとよい。
これにより、棒状の障害物２０は確実に凹部付の噴射ボタン２５の中心を押すことができる。
なお、各障害物の高さ及び長さは、これらの処置も含めてスプレー缶の噴射ボタンをちょうど押し込めるだけの寸法に仕上げるものとする。
【００３３】
【発明の効果】
本発明の方法により、以下のような効果が得られる。
（イ）特別な人力や器具を用いることがないので、噴射ボタンを押し続けて手が疲れるとか、穴開け器具を用意したり管理するのがめんどうくさいなどの問題点から解放される。
（ロ）従来のガス抜き作業につきものであった残液の吹き出しを、上ぶた１の内部にとどめることによって、作業者及び作業場所を汚す可能性をほとんどなくしてしまったのは、特筆すべきことである。
（ハ）通常時には従来よりあるふたと同じように使用できるので、ガス抜き用の構造をもつことによる問題は起こらないし、使い捨てとして各１個スプレー缶に装備することで、ガス抜きの必要性を使用者にアピールできる。
（ニ）ガス抜き時の手順が簡単で、ほとんどの発明がその構造物を上ぶた１の内部や缶底に備えておけるため、スプレー缶が不用となった時にその場でガス抜き作業を済ませてしまうことができる。
つまり本発明は、手間がかからずきわめて清潔な処理が可能で、ガス抜きを奨励しいつでもどこでも行える利点をもったガス抜き方法である。
【図面の簡単な説明】
【図１】請求項１の発明の実施の形態の、基本例の通常時を示す縦断面図である。
【図２】請求項１の発明の実施の形態の、基本例のガス抜き時を示す縦断面図である。
【図３】請求項１の発明の実施の形態の、応用例の通常時を示す縦断面図である。
【図４】請求項１の発明の実施の形態の、応用例のガス抜き時を示す縦断面図である。
【図５】請求項２の発明の実施の形態の、基本例の通常時を示す縦断面図である。
【図６】請求項２の発明の実施の形態の、基本例のガス抜き時を示す縦断面図である。
【図７】請求項２の発明の実施の形態の、応用例の通常時を示す縦断面図である。
【図８】請求項２の発明の実施の形態の、応用例のガス抜き時を示す縦断面図である。
【図９】請求項３の発明の実施の形態の、基本例の通常時を示す縦断面図である。
【図１０】請求項３の発明の実施の形態の、基本例のガス抜き時を示す縦断面図である。
【図１１】請求項３の発明の実施の形態の、応用例の通常時を示す縦断面図である。
【図１２】請求項３の発明の実施の形態の、応用例のガス抜き時を示す縦断面図である。
【図１３】請求項４の発明の実施の形態の、基本例の通常時を示す縦断面図である。
【図１４】請求項４の発明の実施の形態の、基本例のガス抜き時を示す縦断面図である。
【図１５】請求項４の発明の実施の形態の、応用例の通常時を示す縦断面図である。
【図１６】請求項４の発明の実施の形態の、応用例のガス抜き時を示す縦断面図である。
【図１７】請求項５の発明の実施の形態の、基本例の通常時を示す縦断面図である。
【図１８】請求項５の発明の実施の形態の、基本例のガス抜き時を示す縦断面図である。
【図１９】請求項５の発明の実施の形態の、応用例の通常時を示す縦断面図である。
【図２０】請求項５の発明の実施の形態の、応用例のガス抜き時を示す縦断面図である。
【図２１】請求項６の発明の実施の形態の、基本例の通常時を示す縦断面図である。
【図２２】請求項６の発明の実施の形態の、基本例のガス抜き時を示す縦断面図である。
【図２３】請求項６の発明の実施の形態の、応用例の通常時を示す縦断面図である。
【図２４】請求項６の発明の実施の形態の、応用例のガス抜き時を示す縦断面図である。
【図２５】請求項７の発明の実施の形態の、基本例の通常時を示す縦断面図である。
【図２６】請求項７の発明の実施の形態の、基本例のガス抜き時を示す縦断面図である。
【図２７】請求項７の発明の実施の形態の、応用例の通常時を示す縦断面図である。
【図２８】請求項７の発明の実施の形態の、応用例のガス抜き時を示す縦断面図である。
【図２９】請求項８の発明の実施の形態の、基本例の通常時を示す縦断面図である。
【図３０】請求項８の発明の実施の形態の、基本例のガス抜き時を示す縦断面図である。
【図３１】請求項８の発明の実施の形態の、応用例の通常時を示す縦断面図である。
【図３２】請求項８の発明の実施の形態の、応用例のガス抜き時を示す縦断面図である。
【図３３】請求項９の発明の実施の形態の、基本例の通常時を示す縦断面図である。
【図３４】請求項９の発明の実施の形態の、基本例のガス抜き時を示す縦断面図である。
【図３５】請求項９の発明の実施の形態の、応用例の通常時を示す縦断面図である。
【図３６】請求項９の発明の実施の形態の、応用例のガス抜き時を示す縦断面図である。
【図３７】実施例に記載した、請求項１の発明の構造物への工夫を示す斜視図である。
【図３８】実施例に記載した、請求項８の発明の構造物への工夫を示す縦断面図である。
【符号の説明】
１  上ぶた
２  ガス抜け部
３  水平な平面部
４  台状の障害物
５  中止め式の突起部
６  柱状の突起部
７  穴付の障害物
８  レール状の突起部
９  メサ溝付の障害物
１０  ストッパーとなる凸部
１１  軸状の突起部
１２  軸穴付の障害物
１３  囲い状の突起部
１４  キャップ状の障害物
１５  側面の凸凹で止める突起部
１６  側面の凸凹で止まる障害物
１７  筒状の突起部
１８  薄板状の障害物
１９  筒状の穴部
２０  棒状の障害物
２１  収納場所となる凹部
２２  通気性のない閉鎖物
２３  液体吸収体
２４  粘着剤面
２５  凹部付の噴射ボタン
【図１】
0003723330.tif 000002
【図２】
0003723330.tif 000003
【図３】
0003723330.tif 000004
【図４】
0003723330.tif 000005
【図５】
0003723330.tif 000006
【図６】
0003723330.tif 000007
【図７】
0003723330.tif 000008
【図８】
0003723330.tif 000009
【図９】
0003723330.tif 000010
【図１０】
0003723330.tif 000011
【図１１】
0003723330.tif 000012
【図１２】
0003723330.tif 000013
【図１３】
0003723330.tif 000014
【図１４】
0003723330.tif 000015
【図１５】
0003723330.tif 000016
【図１６】
0003723330.tif 000017
【図１７】
0003723330.tif 000018
【図１８】
0003723330.tif 000019
【図１９】
0003723330.tif 000020
【図２０】
0003723330.tif 000021
【図２１】
0003723330.tif 000022
【図２２】
0003723330.tif 000023
【図２３】
0003723330.tif 000024
【図２４】
0003723330.tif 000025
【図２５】
0003723330.tif 000026
【図２６】
0003723330.tif 000027
【図２７】
0003723330.tif 000028
【図２８】
0003723330.tif 000029
【図２９】
0003723330.tif 000030
【図３０】
0003723330.tif 000031
【図３１】
0003723330.tif 000032
【図３２】
0003723330.tif 000033
【図３３】
0003723330.tif 000034
【図３４】
0003723330.tif 000035
【図３５】
0003723330.tif 000036
【図３６】
0003723330.tif 000037
【図３７】
0003723330.tif 000038
【図３８】
0003723330.tif 000039